(57)【特許請求の範囲】
【請求項１】
所定の情報を表示する表示手段と、
前記表示手段を制御する表示制御手段と、
所定の情報を入力する入力手段と、
前記表示手段を低輝度で表示する状態である第１の低輝度表示状態に設定する設定手段と、を備え、
前記表示制御手段は、
前記設定手段が前記表示手段の表示状態を前記第１の低輝度表示状態に設定している場合、前記表示手段に前記所定の情報を表示させる際に、前記表示手段の背景画面を第１の低輝度である最低輝度または最低輝度近傍の輝度で表示させると共に、前記表示手段に所定の表示すべき情報のみを表示させ、前記入力手段に入力がされたことを検知すると、前記表示手段の表示状態である前記第１の低輝度表示状態を解除し、前記表示手段の背景画面の輝度を前記第１の低輝度よりも輝度が高い第２の低輝度表示状態に設定し、前記表示手段の前記背景画面の輝度を前記第２の低輝度表示状態に設定した後に、前記表示手段の前記背景画面の輝度を漸次高くし、通常使用する状態の輝度にする、
携帯端末。
【請求項２】
前記所定の表示すべき情報は、
前記携帯端末に電話若しくはメールの着信があった場合には、当該着信に関する情報、若しくは、当該着信に関する情報及び現在時刻に関する情報であり、
前記電話若しくはメールの着信がない場合には、現在時刻に関する情報である、
請求項１に記載の携帯端末。
【請求項３】
前記表示手段の背景画面は黒色で表示され、前記表示手段に表示される情報は白色で表示される、
請求項１又は２に記載の携帯端末。
【請求項４】
前記携帯端末の前記設定手段は、現在時刻を計時する機能及び制限時間帯を設定する機能を有し、
前記設定手段は前記現在時刻と前記制限時間帯とを比較して、前記現在時刻が前記制限時間帯に含まれる場合に、前記表示手段の表示状態を前記第１の低輝度表示状態に設定する、
請求項１乃至３のいずれか一項に記載の携帯端末。
【請求項５】
前記携帯端末の前記設定手段は、前記入力手段であり、
前記設定手段は前記入力手段からの入力に基づいて、前記表示手段の表示状態を前記第１の低輝度表示状態に設定する、
請求項１乃至４のいずれか一項に記載の携帯端末。
【請求項６】
前記携帯端末は、前記表示制御手段の制御に基づいて前記入力手段を照光する入力手段バックライトをさらに備え、
前記設定手段が前記表示手段の表示状態を前記第１の低輝度表示状態に設定している場合、前記表示制御手段は前記入力手段バックライトの照光を抑制する、
請求項１乃至５のいずれか一項に記載の携帯端末。
【請求項７】
表示手段を有する携帯端末の表示制御方法であって、
前記表示手段を低輝度で表示する状態である第１の低輝度表示状態で、前記表示手段の表示状態を設定するステップと、
前記表示手段に所定の情報を表示させる際に、前記表示手段の背景画面を第１の低輝度である最低輝度または最低輝度近傍の輝度で表示させると共に、前記表示手段に表示すべき情報のみを表示させるステップと、
入力手段に入力がされたことを検知すると、前記表示手段の表示状態である前記第１の低輝度表示状態を解除し、前記表示手段の背景画面の輝度を前記第１の低輝度よりも輝度が高い第２の低輝度表示状態に設定するステップと、
前記表示手段の前記背景画面の輝度を前記第２の低輝度表示状態に設定した後に、前記表示手段の前記背景画面の輝度を漸次高くし、通常使用する状態の輝度にするステップとを備えた、
表示制御方法。
【発明の詳細な説明】
【技術分野】
【０００１】
本発明は携帯端末及び携帯端末の表示制御方法に関する。
【背景技術】
【０００２】
携帯電話等の携帯端末には、各種の情報を表示する表示画面が設けられている。この表示画面の視認性は、周囲の明るさに大きく依存するため、その制御が課題となっている。また、携帯端末の機能の向上に伴い、携帯端末で節電を行うことも課題となっている。以上を背景にして、携帯端末における表示画面の制御技術が、近年進歩している。
【０００３】
表示画面の制御技術の一例として、表示画面の輝度を使用者が調整する技術がある。また、表示画面の輝度調整を携帯端末が行う技術として、特許文献１乃至５では、携帯端末に設けられた照度センサが周囲の環境の照度を測定し、それに基づいて、携帯端末が表示画面の輝度を自動で調整する技術が開示されている。また、特許文献６においては、携帯端末のイベント毎に、使用者が有効と設定している表示のみを画面に表示させることで、使用者に必ずしも有用でない表示を画面上から削除する技術が開示されている。
【０００４】
また、携帯端末は、緊急連絡等の対応にも備えるため、就寝時に枕元に置いて使用されるケースが多い。例えば、特許文献７においては、目覚まし設定時間に着信があった電話あるいはメールを、光によって使用者に通知を行う技術が開示されている。このように、緊急の電話又はメール着信への対応のために、使用者が深夜に携帯端末を起動させ画面表示を見るケースがしばしば生ずる。さらに、携帯電話等の携帯端末にはタイマー機能が装備されているため、このタイマー機能を用いて、携帯端末を目覚まし代わりに使用するケースも多い。そのような場合、就寝中の目覚めた直後に時刻を知るため、携帯端末を起動させ、画面表示を見るケースがしばしば生ずる。
【先行技術文献】
【特許文献】
【０００５】
【特許文献１】特開２００５−２８６７３８号公報
【特許文献２】特開２００６−１４６０３０号公報
【特許文献３】特開２００８−２１９６５９号公報
【特許文献４】特開２００９−１２４２６６号公報
【特許文献５】特開２００９−３００５１５号公報
【特許文献６】特開２００８−１４８０５４号公報
【特許文献７】特開２００８−０２２４０６号公報
【発明の概要】
【発明が解決しようとする課題】
【０００６】
以上のように、就寝中の目覚めた直後等において携帯端末を使用する場合、携帯端末の画面表示の輝度は、使用者が通常状態で使用する上で支障が出ないレベルに調整されていることが多い。その場合、使用者が通常状態で使用する輝度に調整された表示画面を見ると、まぶしさによる不快感が生じる。また、携帯端末を起動する毎に、輝度が高い画面表示が行われることで、無駄な電流が消費されることになる。
【０００７】
しかし、表示画面の輝度を使用者が手動で調整する方式では、表示輝度の適正化や端末の省電力化を行うために、輝度調整を毎回使用者が行う必要があり、不便が生ずる。また、一度、使用者が高輝度に表示画面を設定したままにすると、使用者は設定を高輝度のままにしてしまうことが多い。その場合、表示輝度の適正化や端末の省電力化を行うことができなくなる。
【０００８】
上述の特許文献１乃至５のように、照度センサに基づいて表示画面の輝度を調整する技術においては、照度センサの検出動作によって、余分な電気が消費される問題が発生する。また、特許文献７の技術は着信に対応して表示画面を光らせる制御であり、画面表示の輝度を下げるものではない。
【０００９】
さらに、携帯端末の表示画面には数々のアイコンと言われるマーク類が表示されるため、例えば使用者が必要とする時刻情報等が一目では判らず、使用者が携帯端末の表示を長時間探し続ける事になるという、使用上における問題があった。特許文献６の技術は、設定された情報以外の表示を画面上から削除する技術ではあるが、表示画面全体の輝度設定を行う技術ではない。
【００１０】
本発明は、このような問題点を解決するためになされたものであり、表示輝度及び画面表示内容の適正化、そして消費電力の削減を図ることができる携帯端末及び携帯端末の表示制御方法を提供することを目的とする。
【課題を解決するための手段】
【００１１】
本発明にかかる携帯端末は、所定の情報を表示する表示手段と、前記表示手段を制御する表示制御手段と、所定の情報を入力する入力手段と、前記表示手段を低輝度で表示する状態である第１の低輝度表示状態に設定する設定手段を備えている。前記表示制御手段は、前記設定手段が前記表示手段の表示状態を前記第１の低輝度表示状態に設定している場合、前記表示手段に前記所定の情報を表示させる際に、前記表示手段の背景画面を第１の低輝度である最低輝度または最低輝度近傍の輝度で表示させると共に、前記表示手段に所定の表示すべき情報のみを表示させる。
【００１２】
本発明にかかる携帯端末の表示制御方法は、表示手段を有する携帯端末の表示制御方法であって、前記表示手段を低輝度で表示する状態である第１の低輝度表示状態で、前記表示手段の表示状態を設定するステップと、前記表示手段に所定の情報を表示させる際に、前記表示手段の背景画面を第１の低輝度である最低輝度または最低輝度近傍の輝度で表示させると共に、前記表示手段に表示すべき情報のみを表示させるステップを備えている。
【発明の効果】
【００１３】
本発明により、表示輝度及び画面表示内容の適正化、そして消費電力の削減を図ることができる携帯端末及び携帯端末の表示制御方法を提供することができる。
【図面の簡単な説明】
【００１４】
【図１】実施の形態１にかかる、携帯端末の全体構成を示すブロック図である。
【図２】実施の形態２にかかる、携帯端末の全体構成を示すブロック図である。
【図３】実施の形態２にかかる、アラーム設定画面例の図である。
【図４】実施の形態２にかかる、表示制御を示す制御フローの図である。
【図５】実施の形態２にかかる、第１の画面表示例を示す図である。
【図６】実施の形態２にかかる、第２の画面表示例を示す図である。
【図７】実施の形態２にかかる、第３の画面表示例を示す図である。
【図８】実施の形態２にかかる、キーを押した際の制御を示す制御フローの図である。
【発明を実施するための形態】
【００１５】
実施の形態１
以下、図１を参照して本発明の実施の形態１について説明する。図１は、本実施の形態における携帯端末１０の全体構成を示すブロック図である。携帯端末１０は、表示手段１１、表示制御手段１２、入力手段１３、設定手段１４を備えている。携帯端末１０は、例えば携帯電話、ＰＨＳ（Ｐｅｒｓｏｎａｌ  Ｈａｎｄｙ−ｐｈｏｎｅ  Ｓｙｓｔｅｍ）、携帯情報端末、スマートフォン等の携帯端末である。
【００１６】
表示手段１１は、携帯端末１０において所定の情報を使用者に対して表示する部分である。表示手段１１は、任意の輝度で所定の情報を、背景画面に表示することができる。この表示手段１１は、例えば液晶ディスプレイ、有機ＥＬ（Ｅｌｅｃｔｒｏ−Ｌｕｍｉｎｅｓｃｅｎｃｅ）ディスプレイ、無機ＥＬディスプレイといったディスプレイや、ＬＥＤ（Ｌｉｇｈｔ  Ｅｍｉｔｔｉｎｇ  Ｄｉｏｄｅ）等の光源から構成されている。また「所定の情報」とは、例えば、現在時刻、メール又は電話の着信、携帯端末の電池の残量、電波の強度、マナーモードの設定、アラーム機能の設定等、一般の携帯端末において表示される情報である。
【００１７】
表示制御手段１２は、表示手段１１を制御し、所定の情報を、任意の輝度の背景画面で表示手段１１に表示させる働きをする。この表示制御手段１２は、例えば、携帯端末１０内のＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等から構成されている。ＣＰＵは、ＲＯＭに記憶されているプログラムやＲＡＭにロードされた各種のアプリケーションプログラムを読み込むことで、携帯端末１０を制御する。ＲＯＭには、携帯端末１０を制御するための各種プログラムが記憶されている。ＲＡＭには、ＣＰＵが各種の処理を実行する上で必要なデータが適宜記憶される。なお、ＲＯＭではなく、他の不揮発性メモリを用いてもよい。
【００１８】
入力手段１３は、使用者が操作可能な部分であり、使用者は入力手段１３により、携帯端末１０に情報を入力することができる。入力手段１３は、例えば携帯端末１０におけるキーボタンや、タッチパネル若しくはタッチパッド等のポインティングデバイスで構成されている。
【００１９】
設定手段１４は、表示手段１１を第１の低輝度表示状態に設定する働きをする。ここで「第１の低輝度表示状態」とは、表示手段の背景画面を第１の低輝度で表示している状態を表す。第１の低輝度表示状態の詳細については後述する。設定手段１４は、例えば携帯端末１０のアラーム機能、携帯端末１０に設けられたキーボタン等から構成されている。
【００２０】
以下、表示制御手段１２が行う制御内容について説明する。なお、設定手段１４は表示手段１１の表示状態を上述の第１の低輝度表示状態に設定している。まず、表示制御手段１２は、表示手段１１に所定の情報を表示させる処理を行う。この際、表示制御手段１２は、第１の低輝度表示状態の設定に基づき、表示手段１１の背景画面を最低輝度または最低輝度近傍の輝度で表示すると共に、前記表示手段に所定の表示すべき情報のみを表示する。
【００２１】
ここでいう「最低輝度」とは、深夜等、携帯端末１０の周囲の環境が十分に暗い場合における、周囲の環境と同程度の輝度のことをいう。使用者が、この第１の低輝度である最低輝度または最低輝度近傍の輝度に設定された背景画面を見ることで、通常の輝度の背景画面を見ることと比較すると、まぶしさといった不快感は緩和される。
【００２２】
また、上述の「所定の表示すべき情報」とは、上述の「所定の情報」の中で、使用者にとって必要度又は優先度の高い情報を意味する。例えば、携帯端末１０に電話若しくはメールの着信がある際には、「表示すべき情報」は当該着信に関する情報を示す。あるいは、携帯端末１０に着信がない場合には、「表示すべき情報」は現在時刻に関する情報を示す。なお、着信があった場合には、「表示すべき情報」に現在時刻の情報を加えるようにしてもよい。
【００２３】
以上から、使用者は低輝度表示に制御され、かつ表示すべき情報のみが表示された画面を見ることができる。これにより、携帯端末における表示輝度の適正化を達成することができる。また、背景画面が低輝度に制御されることで、消費電力の削減を図ることもできる。以上から、本実施の形態により、表示輝度及び画面表示内容の適正化、そして消費電力の削減を図ることができる携帯端末を提供することができる。
【００２４】
実施の形態２
以下、図面を参照して本発明の実施の形態２について説明する。図２は、本実施形態における、携帯端末の全体構成を示したブロック図である。図３は、本実施形態における、携帯端末の画面でのアラーム設定画面例を示している。図４は、本実施形態における、画面の表示制御を示す制御フローである。図５は、本実施形態における第１の画面表示例を示す図であり、画面に時刻情報及び日付情報のみが文字情報として表示されている。図６は、本実施形態における第２の画面表示例を示す図であり、画面に時刻及び日付と、着信番号のみが文字情報として表示されている。図７は、本実施形態における第３の画面表示例を示す図であり、画面に時刻及び日付と、メール着信のみが文字情報として表示されている。図８は、本実施形態のキー押下時の、画面の表示制御を示す制御フローである。
【００２５】
まず、図２から、本実施形態における携帯端末１０の全体構成を説明する。本実施形態における携帯端末１０は、携帯端末１０の機能を制御する制御部１と、画像や情報を表示する表示部２と、時刻をカウントする時計回路３と、携帯端末の開閉状態を検出する開閉検出部４と、情報データを保存する記憶部５と、ボタンを押すことで情報が入力される操作部６と、無線通信を行う送受信部７とを備えている。携帯端末１０は、ここでは折り畳むことが可能な、携帯電話やＰＨＳ等の携帯端末である。なお、実施の形態１の表示手段１１、表示制御手段１２、入力手段１３、設定手段１４はそれぞれ、図２の表示部２、制御部１、操作部６、時計回路３及び記憶部５に対応する。
【００２６】
制御部１は、携帯端末１０の機能制御をつかさどる制御回路であり、表示部２、時計回路３、開閉検出部４、記憶部５、操作部６、送受信部７から送られる情報データの受信及び受信した情報データの処理、また制御データの各部への送出を行っている。ここでは図示しないが、制御部１は、携帯端末１０内のＣＰＵ、ＲＡＭ等から構成されている。
【００２７】
表示部２は、携帯端末１０において、画像や情報の表示を行う。表示部２は、情報等の表示を行うディスプレイ２−１と、表示画面バックライト２−２を備えている。ディスプレイ２−１は携帯端末１０の表示画面であり、ここでは液晶ディスプレイである。また、表示画面バックライト２−２は、小型化できる光源から構成されており、ここではＬＥＤとする。表示画面バックライト２−２は、ディスプレイ２−１の背面から光を点灯し、ディスプレイ２−１の輝度を可変させる機能を有する。
【００２８】
表示部２が行う画像制御は、以下の通りになる。表示部２は、制御部１から送出される画像表示情報のデータに基づき、ディスプレイ２−１に画像を表示させる。具体的には、表示部２は表示画像に応じた電圧を、液晶ディスプレイであるディスプレイ２−１に加えることで、表示画面バックライト２−２が放出する光の透過及び遮光を決定する。以上のようなディスプレイ２−１に対する制御と共に、表示部２は、制御部１から送出される輝度調整データに基づき、表示画面バックライト２−２の輝度を調節する制御を行う。以上の構成により、表示部２は、ディスプレイ２−１から使用者に対して透過する光、つまり画面表示の明るさを可変制御することができる。
【００２９】
時計回路３は、時刻のカウントを行う時計の回路であり、制御部１から要求された時点の時刻データを制御部１に送出する機能を有する。時計回路３は、ＣＰＵ、ＲＯＭ、ＲＡＭ等を備えた、ＩＣ（Ｉｎｔｅｇｒａｔｅｄ  Ｃｉｒｃｕｉｔ）等で構成される。なお、時刻データには、現在の時刻の他、現在の日付・月・年が含まれるものとする。
【００３０】
開閉検出部４は、携帯端末１０が折り畳まれた状態（以下、閉じた状態という）か、携帯端末１０が折り畳まれずに、表示部２が使用者に見えている状態（以下、開いた状態という）かを検出する機能を有する。開閉検出部４は、検出した携帯端末１０の開閉状態を、開閉情報として制御部１に送出する。例えば、携帯端末１０の電源がオンの状態で、使用者が携帯端末１０の筐体を開いたことを開閉検出部４が検知した際には、開閉検出部４は、携帯端末１０が開状態になった情報を制御部１に送出する。制御部１は携帯端末１０が開状態になった情報に応じて、表示部２に画面を表示させ、操作部６中のキー操作部６−１を入力可能な状態にさせる等の制御をする制御データを、携帯端末１０の各部に送出することで、携帯端末１０を起動状態にする。開閉検出部４は、ＣＰＵ、ＲＯＭ、ＲＡＭ等を備えた、ＩＣ等で構成される。
【００３１】
記憶部５は、制御部１から送出された情報データを保存する領域を有しており、制御部１の制御により情報データの読み出し、書き込みを行う。また、携帯端末１０に予め記憶されている画面情報等も、記憶部５に保存されている。保存されている情報データは、例えば、ディスプレイ２−１に表示される画面データ、その画面データを表示する際の表示画面バックライト２−２の輝度のデータ、使用者が登録する時間設定、電話番号やメールアドレスといったものであり、携帯端末１０の使用の際に用いるデータである。なお、記憶部５は、携帯端末１０内のＲＯＭ、ＲＡＭ、あるいは補助記憶装置から構成される。
【００３２】
操作部６は、使用者が押すボタンであるキー操作部６−１と、キー操作部６−１を照光するキーバックライト６−２を備えている。使用者がボタンを押してキー操作部６−１を操作することで、使用者の入力した情報はキー操作部６−１から制御部１に送出される。制御部１は使用者が入力した情報を記憶部５内に送出することで、入力情報は携帯端末１０内に記憶される。また、キーバックライト６−２は、制御部１の制御データに対応した点灯及び消灯の動作を行うことで、操作部６全体を照光する。使用者が通常使用する状態では、制御部１は携帯端末１０の筐体を開くことによる携帯端末の起動や、キー操作部６−１からの入力情報等を検出して、キーバックライト６−２を点灯させる。それにより、制御部１は、操作部６を使用者にとって見やすい状態に制御する。なお、キー操作部６−１は、携帯端末１０に設けられた、数字や文字を入力するためのキー、電話、メール、カメラ、インターネット接続等の諸アプリケーション機能を実施するためのキーボタンである。また、キーバックライト６−２の光源は、ＬＥＤ等の、輝度を可変させることができる回路で構成されている。
【００３３】
送受信部７は無線回路から構成されており、基地局への無線接続及び基地局との無線情報の送受信を行う機能を有している。送受信部７の制御は制御部１により行われ、通話の着信番号やメールメッセージの取り込み制御も行われる。例えば、使用者がキー操作部６−１で電話番号の情報を入力する際には、制御部１に入力した番号の情報が送出される。制御部１は、その入力された番号情報に応じて、送受信部７に対し、入力された番号を有する携帯端末への接続要求を基地局に対して行うよう、制御データを送出する。
【００３４】
次に、本実施形態の、表示部２の表示制御方法について説明する。図３は、アラーム設定画面の一例である。図３のアラーム設定画面においては、通常のアラーム設定メニューである「アラーム１」から「アラーム５」の入力画面とは別に、「目覚まし時刻」を設定する入力画面を設けている。図３の実施例では、「目覚まし時刻」を６：００（午前６時）に設定している。なお、図３の例においては、この「目覚まし時刻」とは別に、「開始時刻」として、就寝時の時刻を設定する入力画面も設けている。図３においては、「開始時刻」は２３：００（午後１１時）に設定されている。「開始時刻」と「目覚まし時刻」とは別々に使用者が入力することが可能であり、どちらも一度、使用者がキー操作部６−１にて入力を行うことで、制御部１を通じて記憶部５に記憶される。また、「開始時刻」と「目覚まし時刻」は使用者が再入力を行わない限り、そのままの情報が記憶部５に記憶され続ける。なお、「目覚まし時刻」は、「アラーム１」から「アラーム５」のアラーム機能と同様に、その機能を有効、無効とする「ＯＮ」、「ＯＦＦ」の設定が可能である。図３の例では「目覚まし時刻」を有効、即ち、「ＯＮ」設定とした状態を示している。本実施形態では、「目覚まし時刻」は表示制御を行うにあたり、画面表示を通常時の画面から黒背景の画面に変える際のトリガーの働きをする。
【００３５】
なお、本実施形態においては、「開始時刻」から「目覚まし時刻」までに該当する時間帯を「有効時間帯」（制限時間帯）とし、それ以外の時間帯を「無効時間帯」と定義する。例えば、図３に示した設定例では、２３：００から６：００の間の時間帯は「有効時間帯」と定義され、それ以外の時間帯は「無効時間帯」と定義される。
【００３６】
次に、本実施形態の具体的な表示制御について説明する。図４は、本実施形態において、図３に示した目覚まし機能が設定されている状態で、制御部１が行う画面の表示制御を示す制御フローである。まず、制御部１は、携帯端末１０が起動状態にあるか否かを判定する（ステップＳ１）。使用者が筐体を開く動作を行なわず、携帯端末１０が起動状態になっていないと制御部１が判定した場合（ステップＳ１のＮｏ）、制御部１は表示部２の表示を行う制御をせず、表示制御の処理を終了する。
【００３７】
使用者が携帯端末１０の筐体を開いた場合、制御部１は開閉検出部４が送出した開閉情報から筐体を開いた動作を検出し、携帯端末１０を起動状態にする（ステップＳ１のＹｅｓ）。この場合に、制御部１は表示部２を表示させる制御を以下の通り行う。まず、制御部１は記憶部５に登録されている「目覚まし時刻」の機能が、有効にされているか否かを判定する（ステップＳ２）。「目覚まし時刻」の設定が「ＯＦＦ」、つまり「目覚まし時刻」の機能が無効であると判定する場合（ステップＳ２のＮｏ）には、制御部１は表示部２に対し、使用者が通常設定している画面を表示させる制御を行う。通常設定している画面表示を行うとき、画面表示の輝度は、使用者が通常の状態で使用するレベルの輝度である。また、制御部１はキーバックライト６−２を点灯させる。以上の処理を行った後、制御部１は表示制御の処理を終了する。
【００３８】
制御部１が、「目覚まし時刻」の設定が「ＯＮ」、つまり「目覚まし時刻」の機能が有効であると判定する場合（ステップＳ２のＹｅｓ）、制御部１は時計回路３から現在時刻のデータを取得する。その現在時刻のデータから、制御部１は現在時刻と、「目覚まし時刻」及び「開始時刻」に基づいた有効時間帯との比較を行い、現在時刻が有効時間帯に含まれるか否かの判定処理を行う（ステップＳ３）。例えば、使用者が携帯端末１０の筐体を開いた時刻が午前２時３０分であった場合、制御部１は、現在時刻が設定された「開始時刻」２３：００と「目覚まし時刻」６：００の間にある有効時間帯に含まれると判定し（ステップＳ３のＹｅｓ）、次の判定処理に移行する。なお、使用者が筐体を開いた時刻が無効時間帯（例えば午前９時００分）の場合（ステップＳ３のＮｏ）、制御部１は表示部２に対し、使用者が通常設定している画面を表示させる制御を行い、キーバックライト６−２を点灯させる制御を行った後、表示制御の処理を終了する。
【００３９】
現在時刻が有効時間帯にあると判定された場合、制御部１は、送受信部７から電話若しくはメールの着信に関する情報の検索を行い、着信情報の有無の判定を行う（ステップＳ４）。着信情報が無い場合には（ステップＳ４のＮｏ）、制御部１は時計回路３から時刻データの情報を読み出し、表示部２に、第１の低輝度表示状態にある時刻表示を行わせる制御を行う（ステップＳ５）。このとき、制御部１はキーバックライト６−２を点灯させる制御を行わず、消灯させたままにした上で、表示制御の処理を終了する。
【００４０】
図５は、ステップＳ５にて、表示部２が、第１の低輝度表示状態で時刻表示を行った際の画面表示例（第１の画面表示例）である。図５にかかる画面表示には、背景表示が黒画面で、時刻データのみが白抜き文字で表示されている。制御部１は、記憶部５に登録された黒画面を背景にした表示データを取得し、ディスプレイ２−１にその黒画面を背景にした表示データを表示させる制御データを送出することで、背景画面を表示させている。制御部１はそれと共に、時計回路３から時刻データを取得し、同様の制御により、時刻データをディスプレイ２−１に白抜き文字で表示させている。なお、ここでいう「黒」とは、完全な黒色だけを意味するのではなく、紫黒色、墨色など、明度が低い色のことも含む。また、文字表示の色である「白」も完全な白色だけではなく、パールグレー、乳白色、灰白色といった、明度が高い色のことも含む。
【００４１】
また制御部１は、図５にかかる画面表示を行う際、表示部２における背景画面の輝度を、通常設定される輝度より更に暗い微灯状態（第１の低輝度表示状態）に設定する。第１の低輝度とは、実施の形態１と同様、深夜等、携帯端末１０の周囲の環境が十分に暗い場合における、周囲の環境と同程度の輝度のことをいう。制御部１は、この第１の低輝度に表示部２の背景画面の輝度を設定するように、ディスプレイ２−１及び表示画面バックライト２−２の制御を行う。具体的には、制御部１は表示画面バックライト２−２の輝度を低下させて、表示画面に表示される文字が深夜等の暗い環境でもまぶしくないようにする。つまり、表示画面の文字表示の部分（光の透過率が高い部分）から放出される光を低減する。この時、表示画面の背景画面では光の透過率が低いため、バックライトから放出される光の輝度は十分低いレベルとなっている。以上のようにして、制御部１は、表示部２に対して、黒画面を背景とし、まぶしさを感じないように輝度が設定された白抜き文字での文字情報を表示させる。
【００４２】
なお、上述のような輝度制御に関しては、既存技術であるＰＷＭ（Ｐｕｌｓｅ  Ｗｉｄｔｈ  Ｍｏｄｕｌａｔｉｏｎ）方式による電源制御や、ＬＥＤの印加電圧を低下させることによる微灯制御等が広く知られている。例えばＰＷＭ方式を本実施形態にて用いる場合は、表示画面バックライト２−２を点灯させる周期を長くすることにより、第１の低輝度表示状態を容易に実現することが可能である。以上の制御により、表示部２には、第１の低輝度表示状態に設定され、黒の背景画面に白抜き文字で時刻情報が表示された画面が表示される。また、この際に、キーバックライト６−２は消灯状態になっている。
【００４３】
次に、制御部１が送受信部７から着信情報の検索を行った際に（ステップＳ４）、制御部１が着信情報を検出した場合について説明する（ステップＳ４のＹｅｓ）。まず、制御部１は、検出した着信が他の電話からの着信であるかどうかを判定する（ステップＳ６）。着信が他の電話からの着信であると制御部１が判定した場合（ステップＳ６のＹｅｓ）、制御部１は送受信部７から取得した相手の電話番号の情報と共に、時計回路３から取得した時刻データを、第１の低輝度表示状態で表示部２に表示させる（ステップＳ７）。ステップＳ５と同様、制御部１はキーバックライト６−２を点灯させる制御を行わず、消灯させたままにする。
【００４４】
図５は、ステップＳ７にて、表示部２が、第１の低輝度表示状態で電話番号及び時刻データの表示を行った際の画面表示例（第２の画面表示例）である。なお、ディスプレイ２−１及び表示画面バックライト２−２に対する制御部１の制御方法は、前述のステップＳ５の画面表示の制御方法と同様である。以上の制御により、表示部２には図６の通り、第１の低輝度表示状態に設定され、黒の背景において、白抜き文字で時刻データ及び相手先の電話番号が表示された画面が表示される。制御部１は以上の処理を行った上で、表示制御の処理を終了する。
【００４５】
ステップＳ６において、制御部１が、着信は他の電話からの着信ではないと判定した場合（ステップＳ６のＮｏ）、制御部１は、検出した着信がメールの着信であると判定する（ステップＳ８）。制御部１は送受信部７から取得したメールの情報と共に、時計回路３から取得した時刻データを、第１の低輝度表示状態で表示部２に表示させる（ステップＳ９）。また、ステップＳ５と同様、キーバックライト６−２は消灯されたままである。
【００４６】
図６は、ステップＳ９にて、表示部２が、第１の低輝度表示状態でメールの受信情報及び時刻データの表示を行った際の画面表示例（第３の画面表示例）である。ディスプレイ２−１、及び表示画面バックライト２−２に対する制御部１の制御方法は、ステップＳ５及びステップＳ７の画面表示の制御方法と同様である。なお、図６の画面表示例においては、メールの着信にあたり、制御部１は記憶部５中に保管されたメールアドレスのデータを参照し、着信メールが誰から送信されたかを判定して、表示部２に表示させている。以上の制御により、表示部２には図７の通り、第１の低輝度表示状態に設定され、黒の背景において、白抜き文字で時刻データ及び相手電話番号が表示された画面が表示される。制御部１は以上の処理を行った上で、表示制御の処理を終了する。
【００４７】
以上の制御により、使用者は、有効時間帯として設定した時間帯（例えば深夜）の睡眠から目覚めた直後において、時刻や着信情報を得るために携帯端末１０の筐体を開いた場合、最適化された輝度及び情報内容の画面を見ることができる。つまり、有効時間帯においては、最低輝度または最低輝度近傍の状態に設定された背景画面を使用者が見るように設定できるため、画面を見た際のまぶしさといった不快感が軽減される。更に、時刻データ、着信にかかる電話番号及びメール着信の情報といった、使用者にとって重要度が高い表示すべき情報のみを、白文字という目立つ形式で表示させているので、使用者は一目で重要な情報を把握することができる。また、背景画面の輝度が最低輝度または最低輝度近傍であり、キーバックライト６−２は消灯の状態であるため、携帯端末１０の消費電力を削減することができる。
【００４８】
なお、着信情報が電話とメールの両方ある場合には、両方の情報とも同様に、黒背景に白文字で表示するようにしてもよい。
【００４９】
次に、目覚まし設定が有効であり、かつ設定された有効時間帯において、使用者が携帯端末１０の筐体を開けた状態で、携帯端末１０のキー操作部６−１のいずれかのキーを押した場合の制御部１の制御について、図８を用いて説明する。まず、制御部１は、キー操作部６−１が押されたかどうかを、キー操作部６−１の送出した情報を検知することによって判定する（ステップＳ１１）。
【００５０】
ステップＳ１１にて、使用者がボタンを押す操作をしていないと判定された場合（ステップＳ１１のＮｏ）、制御部１は表示部２を、第１の低輝度表示状態で、黒背景の画面に白抜き文字で情報が表示される前述の画面状態をそのまま継続して表示させる制御を行う（ステップＳ１２）。
【００５１】
ステップＳ１２の処理の後、制御部１は、開閉検出部４からの情報に基づいて、携帯端末１０の開閉状態の判定を行う（ステップＳ１３）。もし携帯端末１０が開いた状態のままであると判定されれば（ステップＳ１３のＮｏ）、制御部１は、ステップＳ１１に戻って処理を行う。
【００５２】
ステップＳ１３にて、携帯端末１０が閉じられた状態になったと判定されれば（ステップＳ１３のＹｅｓ）、制御部１は表示部２に表示された表示情報の消去及び表示画面バックライト２−２を消灯する制御を行う（ステップＳ１４）。つまり、制御部１は表示部２の表示を消す。制御部１は携帯端末１０を、元の状態に戻して、本制御を終了させる。本制御の終了後、設定された有効時間帯に使用者が再び携帯端末１０を開いた場合、使用者は前述の第１の低輝度表示状態の画面を再び見ることになる。
【００５３】
ステップＳ１１にて、使用者がキー操作部６−１のいずれかのキーを押したと判定された場合（ステップＳ１１のＹｅｓ）、制御部１ではキー操作部６が検出した入力情報に基づき、第１の低輝度表示状態を中断させ、通常の表示状態に移行するように、表示部２を制御する（ステップＳ１５）。また、制御部１はキーバックライト６−２の制御を行い、点灯させる（ステップＳ１６）。以上の制御により、携帯端末１０は通常の起動状態に復帰し、目覚まし設定の有効時間帯であっても、使用者は画面の表示及びキーバックライト６−２の照光動作を元に戻すことが可能となる。つまり、使用者が携帯端末１０を使用するためにキーを押すことで、携帯端末１０は通常の起動状態に入り、使用者は通常通り携帯端末１０を使用することが可能になる。
【００５４】
ステップＳ１６の処理の後、制御部１は、開閉検出部４からの情報に基づいて、携帯端末１０の開閉状態の判定を行う（ステップＳ１７）。もし携帯端末１０が開いた状態のままであると判定されれば（ステップＳ１７のＮｏ）、制御部１は、ステップＳ１７に戻って処理を行う。
【００５５】
ステップＳ１７にて、携帯端末１０が閉じられた状態になったと判定されれば（ステップＳ１７のＹｅｓ）、制御部１はキーバックライト６−２を消灯させる制御を行い（ステップＳ１８）、表示部２に表示された表示情報の消去及び表示画面バックライト２−２を消灯する制御を行う（ステップＳ１４）。以上のようにして、制御部１は携帯端末１０を元の状態に戻し、本制御を終了させる。本制御の終了後、設定された有効時間帯に使用者が再び携帯端末１０を開いた場合、使用者は前述の第１の低輝度表示状態の画面を再び見ることになる。
【００５６】
以上の制御により、使用者は、携帯端末１０が第１の低輝度表示状態の画面表示状態にある場合でも、キー操作部６−１を操作することで、携帯端末１０を通常の起動状態に戻すことができる。また、使用者が携帯端末１０を閉じた状態にすることで、携帯端末１０を、再度、第１の低輝度表示状態の画面表示状態にすることができる。
【００５７】
以上説明したことから、本実施の形態にかかる携帯端末は、以下に記載するような効果を奏する。第１の効果は、睡眠から目覚めた直後、表示を見た際に感じるまぶしさといった不快感が軽減されることである。第２の効果は、必要最低限の情報のみが画面に表示されることで、使用者に一目で情報内容を判断させられることである。第３の効果は、就寝時に、携帯端末を時刻又は着信情報を確認するためのみに起動し、操作を行わない場合において、携帯端末の消費電力を削減できることである。これは、表示画面及びキーバックライトの照光を制御することによって達成できる。第４の効果は、携帯端末に照度センサ等の特別なセンサを用いることなしに、表示画面の輝度を適正化できることである。これにより、照度センサ等による消費電力の発生が生じずにすむ。以上から、表示輝度及び画面表示内容の適正化、そして消費電力の削減を図ることができる携帯端末を提供することができる。
【００５８】
なお、本発明は上記実施の形態に限られたものではなく、趣旨を逸脱しない範囲で適宜変更することが可能である。例えば、携帯端末において目覚まし設定以外に専用ボタンを設け、この専用ボタンを押すことで表示部２の制御を開始、終了させるようにしても、同様の効果を得ることができる。
【００５９】
また、実施の形態２の制御フローにて、処理を行うステップの順番は適宜変えてもよい。例えば、図４にて、「目覚まし時刻」の機能が有効か否かの判定を行うステップＳ２と、現在時刻が有効時間帯に含まれるか否かの判定を行うステップＳ３の処理はどちらを先に行ってもよい。また、ステップＳ６で、電話着信情報の有無ではなく、メール着信情報の有無の判定を行ってもよい。さらに、図８において、通常の表示状態に表示部２を制御するステップＳ１５とキーバックライト６−２を制御して点灯させるステップＳ１６、また、通常の表示状態から端末を閉じた際に行うキーバックライト６−２を消灯させるステップＳ１８と表示画面バックライト２−２を消灯させるステップＳ１４の処理は、いずれを先に行ってもよい。
【００６０】
また、実施の形態２において、画面に表示させる電話及びメール着信情報は、予め指定した連絡先のみを表示するようにしてもよい。「目覚まし時刻」の設定も、開始時刻と目覚まし時刻のみの設定だけでなく、日付による設定もできるようにしてもよい。また、第１の低輝度表示状態において表示する時刻データは、日付・月・年の情報を含まず、時刻情報のみとしてもよい。
【００６１】
実施の形態２において、第１の低輝度表示状態において表示を行った後、一定時間使用者による操作が行われなければ、制御部１は携帯端末１０の起動を停止するとしてもよい。なお、その場合には、使用者のキー操作による入力情報を、制御部１が検知して携帯端末１０を再起動させるのが一例である。
【００６２】
実施の形態２において、第１の低輝度表示状態において表示される文字情報も、通常の画面の文字情報表示よりも大きくすることで、使用者が情報をより見やすくするような制御を行ってもよい。さらに、第１の低輝度表示状態において、キーバックライト６−２は完全な消灯を行うように制御せず、低輝度で点灯する状態に制御してもよい。
【００６３】
さらに、実施の形態２において、第１の低輝度表示状態において使用者がキー操作部を押した際、画面は通常の表示状態に制御されるとした（図８のステップＳ１５）。しかし、一度に画面を通常の表示状態にするのではなく、第１の低輝度よりも高い輝度で且つ通常の画面表示状態よりも低い輝度である第２の低輝度に、最初に背景画面を設定してもよい。この画面の表示状態を、第２の低輝度表示状態とする。これは、使用者が、いきなり通常の輝度の背景画面を見ることで、まぶしさといった不快感を覚えるのを防ぐためである。なお、使用者が携帯端末を本格的に使用する状況であることを考慮すると、この際の画面の表示内容は、通常の使用時の表示画面の内容とするのが望ましい。制御部は、画面表示を第２の低輝度表示状態にした後、そのままの輝度で画面表示を行ってもよいし、漸次、背景画面の輝度を上げ、最終的に通常の輝度に設定するようにしてもよい。
【００６４】
また、実施の形態２において、第１の低輝度表示状態において使用者がキー操作部を押した際、制御部は一度に画面を通常の表示状態若しくは第２の低輝度表示状態にするのではなく、漸次、背景画面を通常の輝度に戻すように制御してもよい。
【００６５】
なお、上記の実施形態においては、携帯端末１０の筐体を開閉することにより、携帯端末１０が起動される形態の場合について説明した。しかし、筐体を横にスライドさせることによって起動される携帯端末、又は、開閉、スライド等の可動部が無い形状で、いずれかのキーを押下すること等で起動を行うストレート型の携帯端末に関しても、上記の説明と同様の制御が可能なことは明白である。例えば、ストレート型の携帯端末で、目覚まし設定の機能が有効になっており、起動を停止している状態の場合、一回携帯端末のボタンを押すと、表示画面は前述の第１の低輝度表示状態になる。次に携帯端末のボタンを押すと、第１の低輝度表示状態は解除され、通常の表示画面になる、といった構成にしてもよい。また、表示部に指を接触させることで操作を行う、タッチパネル型の携帯端末（表示部と操作部が物理的に同じ部分にある）でも、同様の制御が行える。
【００６６】
また、携帯端末の筐体に、着信情報の受信を検知して点灯するＬＥＤ等の光源がある場合も考えられる。その際には、第１の低輝度表示状態にある際に、着信情報を受信しても、光源を点灯させない若しくは点灯を抑制するような制御を行うようにしてもよい。
【００６７】
さらに、携帯端末の筐体表面の箇所（例えば表示部の裏）に、上記の実施形態における表示部とは別の液晶ディスプレイ等の表示画面がある場合も考えられる。そのような別の表示画面に対しても、本実施の形態と同様の画面制御を行うことができる。
【符号の説明】
【００６８】
１  制御部
２  表示部
２−１  ディスプレイ
２−２  表示画面バックライト
３  時計回路
４  開閉検出部
５  記憶部
６  操作部
６−１  キー操作部
６−２  キーバックライト
７  送受信部
１０  携帯端末
１１  表示手段
１２  表示制御手段
１３  入力手段
１４  設定手段
【図１】
0005630815.tif 000002
【図２】
0005630815.tif 000003
【図３】
0005630815.tif 000004
【図４】
0005630815.tif 000005
【図５】
0005630815.tif 000006
【図６】
0005630815.tif 000007
【図７】
0005630815.tif 000008
【図８】
0005630815.tif 000009